(57)【要約】【課題】電子のラブと陽子のラブは何個の電磁気でできたか。電子のラブと陽子のラブができた場の温度と引力はいくらであったか。【解決手段】特願2006−336352の式により計算する。電子のラブの電磁気数＝電子のラブの公転軌道エネルギー÷1公転するときの電気の光子の軌道エネルギー＝8.665×10−24Jm÷(1.233×10−41Jm)＝7.028×1017公転(＝個)陽子のラブの電磁気数＝陽子のラブの公転軌道エネルギー÷1公転するときの電気の光子の軌道エネルギー＝8.665×10−24Jm÷(6.724×10−45Jm)＝1.287×1021公転(＝個)。aJの電磁気を放出すると電磁場ができる。その電磁気に雑多なゴミが吸収され、質量をもった電磁気ができ、それらが集まって、電子のラブができた場と、陽子のラブができた場を作った。その場の温度と引力を、特願2009−145952の考えにより計算する。【選択図】図２
2012065522.tif 000002
【特許請求の範囲】
【請求項１】
電子のラブは、何個の電磁気でできたのか。
電子のラブの公転軌道エネルギーは、8.665×10−24Jm、です。1公転するときの電気の光子の軌道エネルギーは、1.233×10−41Jm、です。
電子のラブの電磁気数＝電子のラブの公転軌道エネルギー÷1公転するときの電気の光子の軌道エネルギー＝8.665×10−24Jm÷(1.233×10−41Jm)＝7.028×1017公転(＝個)
電子のラブの軌道エネルギーは、7.028×1017公転の軌道エネルギーです。
この事は、電子のラブは、電磁気が(7.96×107)2公転(＝個)の電磁気でできているのではなく、7.028×1017公転(＝個)の電磁気でできている。
但し、1公転でできる電気の光子1個とそれに付く磁気の光子を1個の電磁気とする。
陽子のラブは、何個の電磁気でできたのか。
陽子のラブの公転軌道エネルギーは、8.665×10−24Jm、です。1公転するときの電気の光子の軌道エネルギーは、6.724×10−45Jm、です。
陽子のラブの電磁気数＝陽子のラブの公転軌道エネルギー÷1公転するときの電気の光子の軌道エネルギー＝8.665×10−24Jm÷(6.724×10−45Jm)＝1.287×1021公転(＝個)
陽子のラブの軌道エネルギーは、1.287×1021公転(＝個)の軌道エネルギーです。
この事は、陽子のラブは、電磁気が(7.96×107)2公転(＝個)の電磁気でできているのではなく、1.287×1021公転(＝個)の電磁気でできている。
この事により、放出した電磁気1個のエネルギーにより、できる電子のラブのエネルギーとできる陽子のラブのエネルギーが計算できる。
【請求項２】
放出した電磁気1個のエネルギーにより、できる電子のラブのエネルギーはいくらか。できる陽子のラブのエネルギーはいくらか。
できる電子のラブのエネルギー＝放出した電磁気1個のエネルギー×7.028×1017個
できる陽子のラブのエネルギー＝放出した電磁気1個のエネルギー×1.287×1021個
【請求項３】
電子のラブの自転軌道はいくらか。陽子のラブの自転軌道はいくらか。
電子のラブの自転軌道＝電子のラブの自転軌道エネルギー÷電子のラブのエネルギー＝3.416×10−30Jm÷電子のラブのエネルギー
陽子のラブの自転軌道＝陽子のラブの自転軌道エネルギー÷陽子のラブのエネルギー＝6.272×10−28Jm÷陽子のラブのエネルギー
【請求項４】
電子のラブの質量と、陽子のラブの質量はいくらか。
電子のラブの質量は、電子のラブの質量＝電子のラブの自転軌道エネルギー÷１Kgの自転軌道エネルギー＝3.416×10−31Jm÷(3.75×10−1Jm/Kg)＝9.109×10−31Kg、です。
陽子のラブの質量は、陽子のラブの質量＝陽子のラブの自転軌道エネルギー÷１Kgの自転軌道エネルギー＝6.272×10−28Jm÷(3.75×10−1Jm/Kg)＝1.673×10−27Kg、です。
【請求項５】
放出した電磁気1個のエネルギーにより、できる宇宙の原子数はいくらか。
できる宇宙の原子数＝1.0765×1079×できる電子のラブのエネルギー６個
【請求項６】
放出した電磁気1個のエネルギーによって、できる場の温度とAはいくらか。
場の温度＝電磁気の温度2＝(aJ÷1℃のエネルギー)2＝｛aJ÷(3.769×10−21J)｝2＝(2.653×1020×a)2＝7.038×1040×a×a(℃)
A＝(7.038×1040×a×a)1/2＝2.653×1020×a
【請求項７】
電子のラブができる場のエネルギーはいくらか。
電子のラブができる場のエネルギー＝aJ×7.028×1017＝できる電子のラブのエネルギー
【請求項８】
電子のラブができる場の温度はいくらか。Aはいくらか。
電子のラブができる場の温度＝(aJの温度×7.028×1017個)2＝{aJ÷(3.769×10−21J)×7.028×1017個}２＝(1.865×1038a)2＝3.478×1076×a×a
A=(3.478×1076×a×a)1/2=1.865×1038a
【請求項９】
電子のラブができる場の引力はいくらか。
電子のラブができる場の引力＝電子のラブができる場で、電子のラブが1秒間に作る引力となる磁気の光子のエネルギー2×原子数＝(地表の電子のラブが1秒間に作る引力になる磁気の光子のエネルギー×電子のラブができる場のA)2×原子数＝(3.769×10−21J×電子のラブができる場のA)2×原子数＝(3.769×10−21J×1.865×1038a)2×原子数＝4.943×1035×a×a×原子数
【請求項１０】
陽子のラブができる場のエネルギーはいくらか。
陽子のラブができる場のエネルギー＝aJ×1.289×1021個＝できる陽子のラブのエネルギー
【請求項１１】
陽子のラブができる場の温度はいくらか。Aはいくらか。
陽子のラブができる場の温度＝できる陽子のラブの温度2＝｛aJ÷(3.769×10−21J)×1.289×1021個}2＝(3.421×1041×a)2＝1.170×1083×a×a
A＝(1.170×1083×a×a)1/2＝3.421×1041×a
【請求項１２】
陽子のラブができる場の引力はいくらか。
地表では、ボーア磁子は、9.274×10−24J/T、です。核磁子は、5.0508×10−27J/T、です。
ボーア磁子は、核磁子の何倍か。9.274×10−24J/T÷(5.0508×10−27J/T)＝1836倍、です。
なぜボーア磁子は、核磁子の1836倍であるのか。
地上の場合、電子のラブと陽子のラブが1公転して作る電気の光子1個のエネルギーは等しく、1.165×10−31Jです。
それで、1秒間の公転数の比であると思います。
電子のラブは、1秒間に、(7.96×10７)2回公転します。
陽子のラブは、1秒間に、(7.96×10７)×4.34×104回公転します。
電子のラブの公転数は、陽子のラブの公転数の、(7.96×10７)2回÷｛(7.96×10７)×4.34×104回}＝1834、倍です。
それで、電子のラブが作る磁気の光子は、陽子のラブが作る磁気の光子の1834倍です。
高エネルギーの場でも、電子のラブが作る磁気の光子は、陽子のラブが作る磁気の光子の1834倍です。
それで、陽子のラブが1秒間に作る引力となる磁気の光子のエネルギーは、電子のラブが1秒間に作る引力となる磁気の光子のエネルギーの1836分の1です。
陽子のラブができる場の引力＝陽子のラブができる場で、陽子のラブが1秒間に作る引力となる磁気の光子のエネルギー2×原子数＝(地表の陽子のラブが1秒間に作る引力になる磁気の光子のエネルギー×電子のラブができる場のA)2×原子数＝(3.769×10−21J÷1836×陽子のラブができる場のA)2×原子数＝(3.769×10−21J÷1836×3.421×1041a)2×原子数＝4.933×1035×a×a×原子数
電子のラブができる場の引力と、陽子のラブができる場の引力は等しい。
【請求項１３】
陽子のラブができる場の温度は、電子のラブができる場の温度の何倍か。
陽子のラブができる場の温度÷電子のラブができる場の温度＝1.170×1083a2÷(3.478×1076a2)＝3.364×106＝(1.834×103)2
即ち、陽子のラブができる場の温度は、電子のラブができる場の温度の(1.834×103)2倍です。エネルギーの倍数の2乗です。
【請求項１４】
電子のラブができる場の引力は、(地表で、電子のラブが1秒間に作る引力になる磁気の光子のエネルギー×電子のラブができる場のA)2×原子数＝(3.769×10−21J×電子のラブができる場のA)2×原子数＝(3.769×10−21J×1.865×1038a)2×原子数＝4.941×1035×a2×原子数
陽子のラブができる場の引力は、(地表で、陽子のラブが1秒間に作る引力になる磁気の光子のエネルギー×陽子のラブができる場のA)2×原子数＝(3.769×10−21J÷1836×陽子のラブができる場のA)2×原子数＝(3.769×10−21J÷1836×3.420×1041a)2×原子数＝4.932×1035×a2×原子数
即ち、電子のラブができる場の引力と陽子のラブができる場の引力は等しい。
【請求項１５】
放出した電磁気1個のエネルギーはいくらであったのか。
私は、特願2007−112389で次のように記した。(X=0のとき、ビッグバンが起きたと仮定すると、その場の電子のラブの質量になる光子のエネルギーはいくらか。その場の陽子のラブの質量になる光子のエネルギーはいくらか。
X=0 の場合。その場の電子のラブの質量になる光子のエネルギーは、8.665×100＝8.665Jです。その場の陽子のラブの質量になる光子のエネルギーは、1836倍ですから、8.665J×1836＝1.591×104J、です。この場のエネルギーは、地表の1.591×104÷(1.5×10−10J)＝1.06×1014倍です。この場はビッグバンがおきた場であり、ここに存在するのは、光子だけです。)
今回、放出した電磁気により、電磁気が、7.028×1017個集まり、電子のラブができた、と考えた。電磁気が7.028×1017個集まり、電子のラブのエネルギーが8.665Jになるためには、放出する電磁気は1.233×10−17Jでなければならない。
この事により、私は、放出した電磁気1個のエネルギーは、1.233×10−17Jであると、考察します。
【発明の詳細な説明】
【技術分野】
【０００１】
本発明は、電子と陽子がどのようにできたかに関するものである。
【背景技術】
【０００２】
電子と陽子はビッグバンの以前にできた。私は、電子の中に非常に小さい物が存在する。その名を電子のラブと名付けた。陽子の中に非常に小さい物が存在する。その名を陽子のラブと名付けた。私は、特願2010−195029において次のように記した。
(ビッグバンの以前、電子のラブが存在しない時、大宇宙に微細な物質が存在した。電磁波が大宇宙に放出した。大宇宙は絶対0℃であったので、抵抗はなく、電磁波は大宇宙に広まった。磁気の光子は中心に向かって回転する。それで、微細の物質は磁気の光子の回転により、電磁気の中に取り込まれる。電磁気の中に微細な物質が入る。これが電磁気を持つ物質です。これが3.75×10−1Jm/Kg の物質です。大宇宙は、3.75×10−1Jm/Kg
の物質になった。その電磁気を持つ物質は、ニュートリノが(7.96×107)個で球体を作るように、(7.96×107)個で球体を作った。これが電子のラブです。電子のラブは集まった。電子のラブが集合した中心部は温度が高くなった。温度が18362倍になったところに、陽子のラブはできた。) 
(7.96×107)個は、(7.96×107)2個の誤りです。
【先行技術文献】
【特許文献】
【０００３】
【特許文献１】特願２００６−３３６３５２
【特許文献２】特願２００６−３５７５５０
【特許文献３】特願２００７−１１２３８９
【特許文献４】特願２００７−１３３４７６
【特許文献５】特願２００７−１５０７５９
【特許文献６】特願２００７−２７９６１７
【特許文献７】特願２００８−１６２５５３
【特許文献８】特願２００９−２１８１９２
【特許文献９】特願２０１０−１９５０２９
【発明の概要】
【発明が解決しようとする課題】
【０００４】
１．電子ニュートリノは、電子のラブが作った電気の光子と磁気の光子が集まったものです。電子ニュートリノが(7.96×107)2個の電磁気で、球体を作っているなら、電子のラブは、何個の電磁気でできたのか。陽子のラブは、何個の電磁気でできたのか。
２．放出した電磁気1個のエネルギーにより、できる電子のラブのエネルギーはいくらか。できる陽子のラブのエネルギーはいくらか。
３．電子のラブの自転軌道はいくらか。陽子のラブの自転軌道はいくらか。
４．電子のラブの質量と、陽子のラブの質量はいくらか。
５．放出した電磁気1個のエネルギーにより、できる宇宙の原子数はいくらか。
６．放出した電磁気1個のエネルギーによって、できる場の温度とAはいくらか。
７．電子のラブができる場のエネルギーはいくらか。
８．電子のラブができる場の温度はいくらか。Aはいくらか。
９．電子のラブができる場の引力はいくらか。
１０．陽子のラブができる場のエネルギーはいくらか。
１１．陽子のラブができる場の温度はいくらか。Aはいくらか。
１２．陽子のラブができる場の引力はいくらか。
１３．陽子のラブができる場の温度は、電子のラブができる場の温度の何倍か。
１４．電子のラブができる場の引力と、陽子のラブができる場の引力はどのような関係であるか。
１５．放出した電磁気1個のエネルギーはいくらであったのか。
【課題を解決するための手段】
【０００５】
特願2006−336352の式により計算する。特願2009−145952の考えにより、温度と引力を計算する。
１．電子のラブは、何個の電磁気でできたのか。陽子のラブは、何個の電磁気でできたのか。
電子のラブの公転軌道エネルギーは、8.665×10−24Jm、です。1公転するときの電気の光子の軌道エネルギーは、1.233×10−41Jm、です。
電子のラブの電磁気数＝電子のラブの公転軌道エネルギー÷1公転するときの電気の光子の軌道エネルギー＝8.665×10−24Jm÷(1.233×10−41Jm)＝7.028×1017公転(＝個)
電子のラブの軌道エネルギーは、7.028×1017公転の軌道エネルギーです。
この事は、電子のラブは、電磁気が(7.96×107)2公転(＝個)の電磁気でできているのではなく、7.028×1017公転(＝個)の電磁気でできている。
但し、1公転でできる電気の光子1個とそれに付く磁気の光子を1個の電磁気とする。
陽子のラブは、何個の電磁気でできたのか。
陽子のラブの公転軌道エネルギーは、8.665×10−24Jm、です。1公転するときの電気の光子の軌道エネルギーは、6.724×10−45Jm、です。
陽子のラブの電磁気数＝陽子のラブの公転軌道エネルギー÷1公転するときの電気の光子の軌道エネルギー＝8.665×10−24Jm÷(6.724×10−45Jm)＝1.289×1021公転(＝個)
陽子のラブの軌道エネルギーは、1.289×1021公転(＝個)の軌道エネルギーです。
この事は、陽子のラブは、電磁気が(7.96×107)2公転(＝個)の電磁気でできているのではなく、1.287×1021公転(＝個)の電磁気でできている。
この事により、放出した電磁気1個のエネルギーにより、できる電子のラブのエネルギーとできる陽子のラブのエネルギーが計算できる。
２．放出した電磁気1個のエネルギーにより、できる電子のラブのエネルギーはいくらか。できる陽子のラブのエネルギーはいくらか。
できる電子のラブのエネルギー＝放出した電磁気1個のエネルギー×7.028×1017個
できる陽子のラブのエネルギー＝放出した電磁気1個のエネルギー×1.287×1021個
３．電子のラブの自転軌道はいくらか。陽子のラブの自転軌道はいくらか。
電子のラブの自転軌道＝電子のラブの自転軌道エネルギー÷電子のラブのエネルギー＝3.416×10−30Jm÷電子のラブのエネルギー
陽子のラブの自転軌道＝陽子のラブの自転軌道エネルギー÷陽子のラブのエネルギー＝6.272×10−28Jm÷陽子のラブのエネルギー
４．電子のラブの質量と、陽子のラブの質量はいくらか。
電子のラブの質量は、電子のラブの質量＝電子のラブの自転軌道エネルギー÷１Kgの自転軌道エネルギー＝3.416×10−31Jm÷(3.75×10−1Jm/Kg)＝9.109×10−31Kg、です。
陽子のラブの質量は、陽子のラブの質量＝陽子のラブの自転軌道エネルギー÷１Kgの自転軌道エネルギー＝6.272×10−28Jm÷(3.75×10−1Jm/Kg)＝1.673×10−27Kg、です。
５．放出した電磁気1個のエネルギーにより、できる宇宙の原子数はいくらか。これに関しては、特願2009−218192に記した。
できる宇宙の原子数＝1.0765×1079×できる電子のラブのエネルギー６個
６．放出した電磁気1個のエネルギーによって、できる場の温度とAはいくらか。
場の温度＝電磁気の温度2＝(aJ÷1℃のエネルギー)2＝｛aJ÷(3.769×10−21J)｝2＝(2.653×1020×a)2＝7.038×1040×a×a(℃)
A＝(7.038×1040×a×a)1/2＝2.653×1020×a
７．電子のラブができる場のエネルギーはいくらか。
電子のラブができる場のエネルギー＝aJ×7.028×1017＝できる電子のラブのエネルギー
８．電子のラブができる場の温度はいくらか。Aはいくらか。
電子のラブができる場の温度＝(aJの温度×7.028×1017個)2＝{aJ÷(3.769×10−21J)×7.028×1017個}２＝(1.865×1038a)2＝3.478×1076×a×a
A=(3.478×1076×a×a)1/2=1.865×1038a
９．電子のラブができる場の引力はいくらか。
電子のラブができる場の引力＝電子のラブができる場で、電子のラブが1秒間に作る引力となる磁気の光子のエネルギー2×原子数＝(地表の電子のラブが1秒間に作る引力になる磁気の光子のエネルギー×電子のラブができる場のA)2×原子数＝(3.769×10−21J×電子のラブができる場のA)2×原子数＝(3.769×10−21J×1.865×1038a)2×原子数＝4.943×1035×a×a×原子数
１０．陽子のラブができる場のエネルギーはいくらか。
陽子のラブができる場のエネルギー＝aJ×1.289×1021個＝できる陽子のラブのエネルギー
１１．陽子のラブができる場の温度はいくらか。Aはいくらか。
陽子のラブができる場の温度＝できる陽子のラブの温度2＝｛aJ÷(3.769×10−21J)×1.289×1021個}2＝(3.421×1041×a)2＝1.170×1083×a×a
A＝(1.170×1083×a×a)1/2＝3.421×1041×a
１２．陽子のラブができる場の引力はいくらか。
地表では、ボーア磁子は、9.274×10−24J/T、です。核磁子は、5.0508×10−27J/T、です。
ボーア磁子は、核磁子の何倍か。9.274×10−24J/T÷(5.0508×10−27J/T)＝1836倍、です。
なぜボーア磁子は、核磁子の1836倍であるのか。
地上の場合、電子のラブと陽子のラブが1公転して作る電気の光子1個のエネルギーは等しく、1.165×10−31Jです。
それで、1秒間の公転数の比であると思います。
電子のラブは、1秒間に、(7.96×10７)2回公転します。
陽子のラブは、1秒間に、(7.96×10７)×4.34×104回公転します。
電子のラブの公転数は、陽子のラブの公転数の、(7.96×10７)2回÷｛(7.96×10７)×4.34×104回}＝1834、倍です。
それで、電子のラブが作る磁気の光子は、陽子のラブが作る磁気の光子の1834倍です。
高エネルギーの場でも、電子のラブが作る磁気の光子は、陽子のラブが作る磁気の光子の1836倍です。
それで、陽子のラブが1秒間に作る引力となる磁気の光子のエネルギーは、電子のラブが1秒間に作る引力となる磁気の光子のエネルギーの1836分の1です。
陽子のラブができる場の引力＝陽子のラブができる場で、陽子のラブが1秒間に作る引力となる磁気の光子のエネルギー2×原子数＝(地表の陽子のラブが1秒間に作る引力になる磁気の光子のエネルギー×陽子のラブができる場のA)2×原子数＝(3.769×10−21J÷1836×陽子のラブができる場のA)2×原子数＝(3.769×10−21J÷1836×3.421×1041a)2×原子数＝4.933×1035×a×a×原子数
電子のラブができる場の引力と、陽子のラブができる場の引力は等しい。
１３．陽子のラブができる場の温度は、電子のラブができる場の温度の何倍か。
陽子のラブができる場の温度÷電子のラブができる場の温度＝1.170×1083a2÷(3.478×1076a2)＝3.364×106＝(1.834×103)2
即ち、陽子のラブができる場の温度は、電子のラブができる場の温度の(1.834×103)2倍です。エネルギーの倍数の2乗です。
１４．電子のラブができる場の引力と、陽子のラブができる場の引力はどのような関係であるか。
電子のラブができる場の引力は、(地表で、電子のラブが1秒間に作る引力になる磁気の光子のエネルギー×電子のラブができる場のA)2×原子数＝(3.769×10−21J×電子のラブができる場のA)2×原子数＝(3.769×10−21J×1.865×1038a)2×原子数＝4.941×1035×a2×原子数
陽子のラブができる場の引力は、(地表で、陽子のラブが1秒間に作る引力になる磁気の光子のエネルギー×陽子のラブができる場のA)2×原子数＝(3.769×10−21J÷1836×陽子のラブができる場のA)2×原子数＝(3.769×10−21J÷1836×3.420×1041a)2×原子数＝4.932×1035×a2×原子数
即ち、電子のラブができる場の引力と陽子のラブができる場の引力は等しい。
１５．放出した電磁気1個のエネルギーはいくらであったのか。
私は、特願2007−112389で次のように記した。(X=0のとき、ビッグバンが起きたと仮定すると、その場の電子のラブの質量になる光子のエネルギーはいくらか。その場の陽子のラブの質量になる光子のエネルギーはいくらか。
X=0 の場合。その場の電子のラブの質量になる光子のエネルギーは、8.665×100＝8.665Jです。その場の陽子のラブの質量になる光子のエネルギーは、1836倍ですから、8.665J×1836＝1.591×104J、です。この場のエネルギーは、地表の1.591×104÷(1.5×10−10J)＝1.06×1014倍です。この場はビッグバンがおきた場であり、ここに存在するのは、光子だけです。)
今回、放出した電磁気により、電磁気が、7.028×1017個集まり、電子のラブができた、と考えた。電磁気が7.028×1017個集まり、電子のラブのエネルギーが8.665Jになるためには、放出する電磁気は1.233×10−17Jでなければならない。
この事により、私は、放出した電磁気1個のエネルギーは、1.233×10−17Jであると、考察します。
【発明の効果】
【０００６】
次の事が理解できた。
１．電子のラブは、何個の電磁気でできたのか。
電子のラブの公転軌道エネルギーは、8.665×10−24Jm、です。1公転するときの電気の光子の軌道エネルギーは、1.233×10−41Jm、です。
電子のラブの電磁気数＝電子のラブの公転軌道エネルギー÷1公転するときの電気の光子の軌道エネルギー＝8.665×10−24Jm÷(1.233×10−41Jm)＝7.028×1017公転(＝個)
電子のラブの軌道エネルギーは、7.028×1017公転の軌道エネルギーです。
この事は、電子のラブは、電磁気が(7.96×107)2公転(＝個)の電磁気でできているのではなく、7.028×1017公転(＝個)の電磁気でできている。
但し、1公転でできる電気の光子1個とそれに付く磁気の光子を1個の電磁気とする。
陽子のラブは、何個の電磁気でできたのか。
陽子のラブの公転軌道エネルギーは、8.665×10−24Jm、です。1公転するときの電気の光子の軌道エネルギーは、6.724×10−45Jm、です。
陽子のラブの電磁気数＝陽子のラブの公転軌道エネルギー÷1公転するときの電気の光子の軌道エネルギー＝8.665×10−24Jm÷(6.724×10−45Jm)＝1.289×1021公転(＝個)
陽子のラブの軌道エネルギーは、1.289×1021公転(＝個)の軌道エネルギーです。
この事は、陽子のラブは、電磁気が(7.96×107)2公転(＝個)の電磁気でできているのではなく、1.289×1021公転(＝個)の電磁気でできている。
この事により、放出した電磁気1個のエネルギーにより、できる電子のラブのエネルギーとできる陽子のラブのエネルギーが計算できる。
２．放出した電磁気1個のエネルギーにより、できる電子のラブのエネルギーはいくらか。できる陽子のラブのエネルギーはいくらか。
できる電子のラブのエネルギー＝放出した電磁気1個のエネルギー×7.028×1017個
できる陽子のラブのエネルギー＝放出した電磁気1個のエネルギー×1.289×1021個
３．電子のラブの自転軌道はいくらか。陽子のラブの自転軌道はいくらか。
電子のラブの自転軌道＝電子のラブの自転軌道エネルギー÷電子のラブのエネルギー＝3.416×10−31Jm÷電子のラブのエネルギー
陽子のラブの自転軌道＝陽子のラブの自転軌道エネルギー÷陽子のラブのエネルギー＝6.272×10−28Jm÷陽子のラブのエネルギー
電子のラブの自転軌道と、陽子のラブの自転軌道は等しい。
４．電子のラブの質量と、陽子のラブの質量はいくらか。
電子のラブの質量は、電子のラブの質量＝電子のラブの自転軌道エネルギー÷１Kgの自転軌道エネルギー＝3.416×10−31Jm÷(3.75×10−1Jm/Kg)＝9.109×10−31Kg、です。
陽子のラブの質量は、陽子のラブの質量＝陽子のラブの自転軌道エネルギー÷１Kgの自転軌道エネルギー＝6.272×10−28Jm÷(3.75×10−1Jm/Kg)＝1.673×10−27Kg、です。
どのような場においても、電子のラブの質量と陽子のラブの質量は一定であり普遍です。
５．放出した電磁気1個のエネルギーにより、できる宇宙の原子数はいくらか。特願2009−218192より。
できる宇宙の原子数＝1.0765×1079×できる電子のラブのエネルギー６個
６．放出した電磁気1個のエネルギーによって、できる場の温度とAはいくらか。
場の温度＝電磁気の温度2＝(aJ÷1℃のエネルギー)2＝｛aJ÷(3.769×10−21J)｝2＝(2.653×1020×a)2＝7.038×1040×a×a(℃)
A＝(7.038×1040×a×a)1/2＝2.653×1020×a
７．電子のラブができる場のエネルギーはいくらか。
電子のラブができる場のエネルギー＝aJ×7.028×1017＝できる電子のラブのエネルギー
８．電子のラブができる場の温度はいくらか。Aはいくらか。
電子のラブができる場の温度＝(aJの温度×7.028×1017個)2＝{aJ÷(3.769×10−21J)×7.028×1017個}２＝(1.865×1038a)2＝3.478×1076×a×a
A=(3.478×1076×a×a)1/2=1.865×1038a
９．電子のラブができる場の引力はいくらか。
電子のラブができる場の引力＝電子のラブができる場で、電子のラブが1秒間に作る引力となる磁気の光子のエネルギー2×原子数＝(地表の電子のラブが1秒間に作る引力になる磁気の光子のエネルギー×電子のラブができる場のA)2×原子数＝(3.769×10−21J×電子のラブができる場のA)2×原子数＝(3.769×10−21J×1.865×1038a)2×原子数＝4.943×1035×a×a×原子数
１０．陽子のラブができる場のエネルギーはいくらか。
陽子のラブができる場のエネルギー＝aJ×1.289×1021個＝できる陽子のラブのエネルギー
１１．陽子のラブができる場の温度はいくらか。Aはいくらか。
陽子のラブができる場の温度＝できる陽子のラブの温度2＝｛aJ÷(3.769×10−21J)×1.289×1021個}2＝(3.421×1041×a)2＝1.170×1083×a×a
A＝(1.170×1083×a×a)1/2＝3.421×1041×a
１２．陽子のラブができる場の引力はいくらか。
地表では、ボーア磁子は、9.274×10−24J/T、です。核磁子は、5.0508×10−27J/T、です。
ボーア磁子は、核磁子の何倍か。9.274×10−24J/T÷(5.0508×10−27J/T)＝1836倍、です。
なぜボーア磁子は、核磁子の1836倍であるのか。
地上の場合、電子のラブと陽子のラブが1公転して作る電気の光子1個のエネルギーは等しく、1.165×10−31Jです。
それで、原因は1秒間の公転数の比であると思います。
電子のラブは、1秒間に、(7.96×10７)2回公転します。
陽子のラブは、1秒間に、(7.96×10７)×4.34×104回公転します。
電子のラブの公転数は、陽子のラブの公転数の、(7.96×10７)2回÷｛(7.96×10７)×4.34×104回}＝1834、倍です。
それで、電子のラブが作る磁気の光子は、陽子のラブが作る磁気の光子の1834倍です。
高エネルギーの場でも、電子のラブが作る磁気の光子は、陽子のラブが作る磁気の光子の1836倍です。
それで、陽子のラブが1秒間に作る引力となる磁気の光子のエネルギーは、電子のラブが1秒間に作る引力となる磁気の光子のエネルギーの1836分の1です。
陽子のラブができる場の引力＝陽子のラブができる場で、陽子のラブが1秒間に作る引力となる磁気の光子のエネルギー2×原子数＝(地表の陽子のラブが1秒間に作る引力になる磁気の光子のエネルギー×陽子のラブができる場のA)2×原子数＝(3.769×10−21J÷1836×陽子のラブができる場のA)2×原子数＝(3.769×10−21J÷1836×3.421×1041a)2×原子数＝4.933×1035×a×a×原子数
電子のラブができる場の引力と、陽子のラブができる場の引力は等しい。
１３．陽子のラブができる場の温度は、電子のラブができる場の温度の何倍か。
陽子のラブができる場の温度÷電子のラブができる場の温度＝1.170×1083a2÷(3.478×1076a2)＝3.364×106＝(1.834×103)2
即ち、陽子のラブができる場の温度は、電子のラブができる場の温度の(1.834×103)2倍です。エネルギーの倍数の2乗です。
１４．電子のラブができる場の引力と、陽子のラブができる場の引力はどのような関係であるか。
電子のラブができる場の引力は、(地表で、電子のラブが1秒間に作る引力になる磁気の光子のエネルギー×電子のラブができる場のA)2×原子数＝(3.769×10−21J×電子のラブができる場のA)2×原子数＝(3.769×10−21J×1.865×1038a)2×原子数＝4.941×1035×a2×原子数
陽子のラブができる場の引力は、(地表で、陽子のラブが1秒間に作る引力になる磁気の光子のエネルギー×陽子のラブができる場のA)2×原子数＝(3.769×10−21J÷1836×陽子のラブができる場のA)2×原子数＝(3.769×10−21J÷1836×3.420×1041a)2×原子数＝4.932×1035×a2×原子数
即ち、電子のラブができる場の引力と陽子のラブができる場の引力は等しい。
１５．放出した電磁気1個のエネルギーはいくらであったのか。
私は、特願2007−112389で次のように記した。(X=0のとき、ビッグバンが起きたと仮定すると、その場の電子のラブの質量になる光子のエネルギーはいくらか。その場の陽子のラブの質量になる光子のエネルギーはいくらか。
X=0 の場合。その場の電子のラブの質量になる光子のエネルギーは、8.665×100＝8.665Jです。その場の陽子のラブの質量になる光子のエネルギーは、1836倍ですから、8.665J×1836＝1.591×104J、です。この場のエネルギーは、地表の1.591×104÷(1.5×10−10J)＝1.06×1014倍です。この場はビッグバンがおきた場であり、ここに存在するのは、光子だけです。)
今回、放出した電磁気により、電磁気が、7.028×1017個集まり、電子のラブができた、と考えた。電磁気が7.028×1017個集まり、電子のラブのエネルギーが8.665Jになるためには、放出する電磁気は1.233×10−17Jでなければならない。
この事により、私は、放出した電磁気1個のエネルギーは、1.233×10−17Jであると、考察します。
【図面の簡単な説明】
【０００７】
【図１】電子ニュートリノは、電子のラブから排斥したとき、電子のラブが作った電磁気を(7.69×10７)2個集めたものである。電子のラブは、電磁気を、電子のラブの電磁気数＝電子のラブの公転軌道エネルギー÷1公転するときの電気の光子の軌道エネルギー＝8.665×10−24Jm÷(1.233×10−41Jm)＝7.028×1017個、集めたものである。陽子のラブは、電磁気を、陽子のラブの電磁気数＝陽子のラブの公転軌道エネルギー÷1公転するときの電気の光子の軌道エネルギー＝8.665×10−24Jm÷(6.724×10−45Jm)＝1.287×1021個、集めたものである。
【図２】陽子のラブができる場の温度は、電子のラブができる場の温度の(1.834×103)2倍です。エネルギーの倍数の2乗です。陽子のラブができる場の温度÷電子のラブができる場の温度＝1.170×1083a2÷(3.478×1076a2)＝3.364×106＝(1.834×103)2電子のラブができる場の引力と、陽子のラブができる場の引力は等しい。電子のラブができる場の引力は、(地表で、電子のラブが1秒間に作る引力になる磁気の光子のエネルギー×電子のラブができる場のA)2×原子数＝(3.769×10−21J×電子のラブができる場のA)2×原子数＝(3.769×10−21J×1.865×1038a)2×原子数＝4.941×1035×a2×原子数陽子のラブができる場の引力は、(地表で、陽子のラブが1秒間に作る引力になる磁気の光子のエネルギー×陽子のラブができる場のA)2×原子数＝(3.769×10−21J÷1836×陽子のラブができる場のA)2×原子数＝(3.769×10−21J÷1836×3.420×1041a)2×原子数＝4.932×1035×a2×原子数よって、引力は等しい。等しい引力で引き合っている。
【図３】放出した電磁気1個のエネルギーにより、できる電磁場の温度や、できる電子のラブのエネルギーや、できる陽子のラブのエネルギーや、できる宇宙の原子数が異なる。できる電磁場の温度＝7.038×1040×a×a、できる電子のラブのエネルギー＝aJ×7.028×1017、できる陽子のラブのエネルギー＝aJ×1.289×1021、できる宇宙の原子数＝1.0765×1079×できる電子のラブのエネルギー6、です。
【発明を実施するための形態】
【０００８】
課題を解決するための手段に従って計算する。
１．電子のラブは、何個の電磁気でできたのか。
電子のラブの公転軌道エネルギーは、8.665×10−24Jm、です。1公転するときの電気の光子の軌道エネルギーは、1.233×10−41Jm、です。
電子のラブの電磁気数＝電子のラブの公転軌道エネルギー÷1公転するときの電気の光子の軌道エネルギー＝8.665×10−24Jm÷(1.233×10−41Jm)＝7.028×1017公転(個)
電子のラブの軌道エネルギーは、7.028×1017公転(＝個)の軌道エネルギーです。
但し、1公転でできる電気の光子1個とそれに付く磁気の光子を1個の電磁気とする。
陽子のラブは、何個の電磁気でできたのか。
陽子のラブの公転軌道エネルギーは、8.665×10−24Jm、です。1公転するときの電気の光子の軌道エネルギーは、6.724×10−45Jm、です。
陽子のラブの電磁気数＝陽子のラブの公転軌道エネルギー÷1公転するときの電気の光子の軌道エネルギー＝8.665×10−24Jm÷(6.724×10−45Jm)＝1.289×1021公転(個)
陽子のラブの軌道エネルギーは、1.287×1021公転(＝個)の軌道エネルギーです。
２．放出した電磁気1個のエネルギーにより、できる電子のラブのエネルギーはいくらか。できる陽子のラブのエネルギーはいくらか。
できる電子のラブのエネルギー＝放出した電磁気1個のエネルギー×7.028×1017個
できる陽子のラブのエネルギー＝放出した電磁気1個のエネルギー×1.289×1021個
・放出した電磁気1個のエネルギーにより、できる電子のラブのエネルギーはいくらか。
１eVの場合。
できる電子のラブのエネルギー＝1.602×10−19J×7.028×1017個＝1.120×10−1J
2.154×10−19Jの場合。
できる電子のラブのエネルギー＝2.154×10−19J×7.028×1017個＝1.514×10−1J
それでは、ビッグバンの以前の電子のラブのエネルギーが１Jであるためには、放出する電磁気1個のエネルギーはいくらでしょうか。
放出する電磁気1個のエネルギー×7.028×1017個＝１J
放出する電磁気1個のエネルギー＝１J÷(7.028×1017個)＝1.423×10−18J
放出する電磁気1個のエネルギーは1.423×10−18Jです。
ビッグバンの以前の電子のラブのエネルギーが8.665Jであるためには、放出する電磁気1個のエネルギーはいくらでしょうか。
放出する電磁気1個のエネルギー×7.028×1017個＝8.665J
放出する電磁気1個のエネルギー＝8.665J÷(7.028×1017個)＝1.233×10−17J
放出する電磁気1個のエネルギーは1.233×10−17Jです。
ビッグバンの以前の電子のラブのエネルギーが3162Jであるためには、放出する電磁気1個のエネルギーはいくらでしょうか。
放出する電磁気1個のエネルギー×7.028×1017個＝3162J
放出する電磁気1個のエネルギー＝3162J÷(7.028×1017個)＝4.499×10−15J
放出する電磁気1個のエネルギーは4.499×10−15Jです。
・放出した電磁気1個のエネルギーにより、できる陽子のラブのエネルギーはいくらか。
１eVの場合。
できる陽子のラブのエネルギー＝1.602×10−19J×1.289×1021個＝2.065×102J
2.154×10−19Jの場合。
できる陽子のラブのエネルギー＝2.154×10−19J×1.289×1021個＝2.777×102J
それでは、ビッグバンの以前の電子のラブのエネルギーが１Jであるためには、陽子のラブのエネルギーは、1836Jです。放出する電磁気1個のエネルギーはいくらでしょうか。
放出する電磁気1個のエネルギー×1.289×1021個＝1836J
放出する電磁気1個のエネルギー＝1836J÷(1.289×1021個)＝1.424×10−18J
放出する電磁気1個のエネルギーは1.424×10−18Jです。
ビッグバンの以前の電子のラブのエネルギーが8.665Jであるためには、陽子のラブのエネルギーは、8.665J×1836＝1.591×104Jです。放出する電磁気1個のエネルギーはいくらでしょうか。
放出する電磁気1個のエネルギー×1.289×1021個＝1.591×104J 
放出する電磁気1個のエネルギー＝1.591×104J÷(1.289×1021個)＝1.234×10−17J
放出する電磁気1個のエネルギーは1.234×10−17Jです。
ビッグバンの以前の電子のラブのエネルギーが3162Jであるためには、陽子のラブのエネルギーは、3162J×1836＝5.805×106Jです。放出する電磁気1個のエネルギーはいくらでしょうか。
放出する電磁気1個のエネルギー×1.289×1021個＝5.805×106J 
放出する電磁気1個のエネルギー＝5.805×105J÷(1.289×1021個)＝4.503×10−15J
放出する電磁気1個のエネルギーは4.503×10−15Jです。
３．電子のラブの自転軌道はいくらか。陽子のラブの自転軌道はいくらか。
電子のラブの自転軌道＝電子のラブの自転軌道エネルギー÷電子のラブのエネルギー＝3.416×10−31Jm÷電子のラブのエネルギー
陽子のラブの自転軌道＝陽子のラブの自転軌道エネルギー÷陽子のラブのエネルギー＝6.272×10−28Jm÷陽子のラブのエネルギー
・電子のラブの自転軌道はいくらか。
１eVの場合。
電子のラブの自転軌道＝3.416×10−31Jm÷(1.126×10−1J)＝3.034×10−30m
2.154×10−19Jの場合。
電子のラブの自転軌道＝3.416×10−31Jm÷(1.514×10−1J)＝2.256×10−30m
1.423×10−18Jの場合。
電子のラブの自転軌道＝3.416×10−31Jm÷１J＝3.416×10−31m
1.233×10−17Jの場合。
電子のラブの自転軌道＝3.416×10−31Jm÷8.665J＝3.942×10−32m
4.499×10−15Jの場合。
電子のラブの自転軌道＝3.416×10−31Jm÷3162J＝1.080×10−34m
・陽子のラブの自転軌道はいくらか。
１eVの場合。
陽子のラブの自転軌道＝6.272×10−28Jm÷(2.065×102J)＝3.037×10−30m
2.154×10−19J eVの場合。
陽子のラブの自転軌道＝6.272×10−28Jm÷(2.777×102J)＝2.259×10−30m
1.423×10−18J eVの場合。
陽子のラブの自転軌道＝6.272×10−28Jm÷1836J＝3.416×10−31m
1.233×10−17J eVの場合。
陽子のラブの自転軌道＝6.272×10−28Jm÷(1.591×104J)＝3.942×10−32m
4.503×10−15J eVの場合。
陽子のラブの自転軌道＝6.272×10−28Jm÷(5.805×106J)＝1.080×10−34m
電子のラブの自転軌道と、陽子のラブの自転軌道は等しい。
４．電子のラブの質量と、陽子のラブの質量はいくらか。
電子のラブの質量は、電子のラブの質量＝電子のラブの自転軌道エネルギー÷１Kgの自転軌道エネルギー＝3.416×10−31Jm÷(3.75×10−1Jm/Kg)＝9.109×10−31Kg、です。
陽子のラブの質量は、陽子のラブの質量＝陽子のラブの自転軌道エネルギー÷１Kgの自転軌道エネルギー＝6.272×10−28Jm÷(3.75×10−1Jm/Kg)＝1.673×10−27Kg、です。
どのような場においても、電子のラブの質量と陽子のラブの質量は一定であり普遍です。
５．放出した電磁気1個のエネルギーにより、できる宇宙の原子数はいくらか。
できる宇宙の原子数＝1.0765×1079×できる電子のラブのエネルギー６個
１eVの場合。
できる宇宙の原子数＝1.0765×1079×(1.126×10−1J)6＝1.0765×1079×2.038×10−6＝2.194×1073個
2.154×10−19Jの場合。
できる宇宙の原子数＝1.0765×1079×(1.514×10−1J)6＝1.0765×1079×1.204×10−5＝1.296×1074個
1.423×10−18Jの場合。
できる宇宙の原子数＝1.0765×1079×1J6＝1.0765×1079個
1.233×10−17Jの場合。
できる宇宙の原子数＝1.0765×1079×8.665J6＝4.554×1084個
4.499×10−15Jの場合。
できる宇宙の原子数＝1.0765×1079×31626＝10100個
６．放出した電磁気1個のエネルギーによって、できる場の温度とAはいくらか。
場の温度＝電磁気の温度2＝(aJ÷1℃のエネルギー)2＝｛aJ÷(3.769×10−21J)｝2＝(2.653×1020×a)2＝7.038×1040×a×a(℃)
A＝(7.038×1040×a×a)1/2＝2.653×1020×a
１eVの場合。
場の温度＝電磁気の温度2＝｛1.602×10−19J÷(3.769×10−21J)｝2＝(4.250×10)2＝1.806×103(℃)
A=(1.806×103)1/2=4.250×10
2.154×10−19Jの場合。
場の温度＝電磁気の温度2＝｛2.154×10−19J÷(3.769×10−21J)｝2＝(5.715×10)2＝3.266×103(℃)
A=(3.266×103)1/2=5.715×10
1.423×10−18Jの場合。
場の温度＝電磁気の温度2＝｛1.423×10−18J÷(3.769×10−21J)｝2＝(3.776×102)2＝1.426×105(℃)
A=(1.426×105)1/2=3.776×102
1.233×10−17Jの場合。
場の温度＝電磁気の温度2＝｛1.233×10−17J÷(3.769×10−21J)｝2＝(3.271×103)2＝1.070×107(℃)
A=(1.070×107)1/2=3.271×103
4.499×10−15Jの場合。
場の温度＝電磁気の温度2＝｛4.499×10−15J÷(3.769×10−21J)｝2＝(1.194×106)2＝1.426×1012(℃)
A=(1.428×1012)1/2=1.195×106
７．電子のラブができる場のエネルギーはいくらか。
電子のラブができる場のエネルギー＝aJ×7.028×1017＝できる電子のラブのエネルギー
１eVの場合。
電子のラブができる場のエネルギー＝1.602×10−19J×7.028×1017＝1.126 ×10−1J
2.154×10−19Jの場合。
電子のラブができる場のエネルギー＝2.154×10−19J×7.028×1017＝1.514×10−1J
1.423×10−18Jの場合。
電子のラブができる場のエネルギー＝1.423×10−18J×7.028×1017＝1J
1.233×10−17Jの場合。
電子のラブができる場のエネルギー＝1.233×10−17J×7.028×1017＝8.665J
4.499×10−15Jの場合。
電子のラブができる場のエネルギー＝4.499×10−19J×7.028×1017＝3162J
８．電子のラブができる場の温度はいくらか。Aはいくらか。
電子のラブができる場の温度＝(aJの温度×7.028×1017個)2＝{aJ÷(3.769×10−21J)×7.028×1017個}２＝(1.865×1038a)2＝3.478×1076×a×a
A=(3.478×1076×a×a)1/2=1.865×1038a
１eVの場合。
電子のラブができる場の温度＝{1.602×10−19J÷(3.769×10−21J)×7.028×10１７個}2＝(2.987×1019)2＝8.922×1038(℃)
A=(8.922×1038)1/2=2.987×1019
2.154×10−19Jの場合。
電子のラブができる場の温度＝{2.154×10−19J÷(3.769×10−21J)×7.028×10１７個}2＝(4.017×1019)2＝1.614×1039(℃)
A=(1.614×1039)1/2=4.017×1019
1.423×10−18Jの場合。
電子のラブができる場の温度＝{1.423×10−18J÷(3.769×10−21J)×7.028×10１７個}2＝(2.655×1020)2＝7.049×1040(℃)
A=(7.049×1040)1/2=2.655×1020
1.233×10−17Jの場合。
電子のラブができる場の温度＝{1.233×10−1７J÷(3.769×10−21J)×7.028×10１７個}2＝(2.299×1021)2＝5.285×1042(℃)
A=(5.285×1042)1/2=2.299×1021
4.499×10−1５Jの場合。
電子のラブができる場の温度＝{4.499×10−1５J÷(3.769×10−21J)×7.028×10１７個}2＝(8.389×1023)2＝7.038×1047(℃)
A=(7.038×1047)1/2=8.389×1023
９．電子のラブができる場の引力はいくらか。
電子のラブができる場の引力＝電子のラブができる場で、電子のラブが1秒間に作る引力となる磁気の光子のエネルギー2×原子数＝(地表の電子のラブが1秒間に作る引力になる磁気の光子のエネルギー×電子のラブができる場のA)2×原子数＝(3.769×10−21J×電子のラブができる場のA)2×原子数＝(3.769×10−21J×1.865×1038a)2×原子数＝4.943×1035×a×a×原子数    但し、(10-a)2は10-2aとして計算する。
１eVの場合。
電子のラブができる場の引力＝(3.769×10−21J×1.865×1038×a)2×原子数＝(3.769×10−21J×1.865×1038×1.602×10−19J)2×2.194×1073個＝(1.126×10−1J)2×2.194×1073個＝2.782×1071J
2.154×10−19Jの場合。
電子のラブができる場の引力＝(3.769×10−21J×1.865×1038×a)2×原子数＝(3.769×10−21J×1.865×1038×2.154×10−19J)2×1.296×1074個＝(1.514×10−1J)2
×1.296×1074個＝2.971×1072J
1.423×10−18Jの場合。
電子のラブができる場の引力＝(3.769×10−21J×1.865×1038×a)2×原子数＝(3.769×10−21J×1.865×1038×1.423×10−18J)2×1.077×1079個＝(1.000×100J)2 ×1.077×1079個＝1.077×1079J
1個の電子のラブが作る引力は１Jとなり、場全体の引力は原子数となる。
1.233×10−17Jの場合。
電子のラブができる場の引力＝(3.769×10−21J×1.865×1038×a)2×原子数＝(3.769×10−21J×1.865×1038×1.233×10−17J)2×4.554×1084個＝(8.667×100J)2 ×4.554×1084個＝3.421×1086J
4.499×10−15Jの場合。
電子のラブができる場の引力＝(3.769×10−21J×1.865×1038×a)2×原子数＝(3.769×10−21J×1.865×1038×4.499×10−15J)2×10100個＝(3.162×103J)2×10100個＝10107J
１０．陽子のラブができる場のエネルギーはいくらか。
陽子のラブができる場のエネルギー＝aJ×1.289×1021個＝できる陽子のラブのエネルギー
１eVの場合。
陽子のラブができる場のエネルギー＝1.602×10−19J×1.289×1021個＝2.065×102J
2.154×10−19Jの場合。
陽子のラブができる場のエネルギー＝2.154×10−19J×1.289×1021個＝2.777×102J
1.424×10−18Jの場合。
陽子のラブができる場のエネルギー＝1.424×10−18J×1.289×1021個＝1.836×103J
1.234×10−1７Jの場合。
陽子のラブができる場のエネルギー＝1.234×10−1７J×1.289×1021個＝1.591×104J
4.503×10−15Jの場合。
陽子のラブができる場のエネルギー＝4.503×10−15J×1.289×1021個＝5.804×106J
１１．陽子のラブができる場の温度はいくらか。Aはいくらか。
陽子のラブができる場の温度＝できる陽子のラブの温度2＝｛aJ÷(3.769×10−21J)×1.289×1021個}2＝(3.421×1041×a)2＝1.170×1083×a×a
A＝(1.170×1083×a×a)1/2＝3.421×1041×a
１eVの場合。
陽子のラブができた場の温度＝{1.602×10−19J÷(3.769×10−21J)×1.289×1021個}2＝(5.479×1022)2＝3.002×1045(℃)
A=(3.002×1045)1/2=5.479×1022
2.154×10-19Jの場合。
陽子のラブができた場の温度＝{2.154×10−19J÷(3.769×10−21J)×1.289×1021個}2＝(7.367×1022)2＝5.427×1045(℃)
A=(5.427×1045)1/2=7.367×1022
1.424×10-18Jの場合。
陽子のラブができた場の温度＝{1.424×10−18J÷(3.769×10−21J)×1.289×1021個}2＝(4.867×1023)2＝2.369×1047(℃)
A=(2.369×1047)1/2=4.867×1023
1.234×10-17Jの場合。
陽子のラブができた場の温度＝{1.234×10−17J÷(3.769×10−21J)×1.289×1021個}2＝(4.220×1024)2＝1.781×1049(℃)
A=(1.781×1049)1/2=4.220×1024
4.503×10-15Jの場合。
陽子のラブができた場の温度＝{4.503×10−15J÷(3.769×10−21J)×1.289×1021個}2＝(1.540×1027)2＝2.372×1054(℃)
A=(2.372×1054)1/2=1.540×1027
１２．陽子のラブができる場の引力はいくらか。
陽子のラブができる場の引力＝陽子のラブができる場で、陽子のラブが1秒間に作る引力となる磁気の光子のエネルギー2×原子数＝(地表の陽子のラブが1秒間に作る引力になる磁気の光子のエネルギー×陽子のラブができる場のA)2×原子数＝(3.769×10−21J÷1836×陽子のラブができる場のA)2×原子数＝(3.769×10−21J÷1836×3.421×1041a)2×原子数＝4.933×1035×a×a×原子数
１eVの場合。
4.932×1035×a×a×原子数＝4.932×1035×1.602×10−19J×1.602×10−19J×2.194×1073個＝2.777×1071J
2.154×10−19Jの場合。
4.932×1035×a×a×原子数＝4.932×1035×2.154×10−19J×2.154×10−19J ×1.296×1074個＝2.966×1072J
1.423×10−18Jの場合。
4.932×1035×a×a×原子数＝4.932×1035×1.423×10−18J×1.423×10−18J ×1.077×1079個＝1.076×1079J
1.234×10−17Jの場合。
4.932×1035×a×a×原子数＝4.932×1035×1.234×10−17J×1.234×10−17J ×4.554×1084個＝3.420×1086J
4.503×10−15Jの場合。
4.932×1035×a×a×原子数＝4.932×1035×4.503×10−15J×4.503×10−15J×10100個＝10107J
この事によって、電子のラブができる場の引力と陽子のラブができる場の引力は等しいことが確かめられた。
１３．陽子のラブができる場の温度は、電子のラブができる場の温度の何倍か。
陽子のラブができる場の温度÷電子のラブができる場の温度＝1.170×1083a2÷(3.478×1076a2)＝3.364×106＝(1.834×103)2
１eVの場合。
陽子のラブができる場の温度÷電子のラブができる場の温度＝3.002×1045(℃)÷(8.922×1038(℃))＝3.365×106(倍)
2.154×10−19Jの場合。
陽子のラブができる場の温度÷電子のラブができる場の温度＝5.427×1045(℃)÷(1.614×1039(℃))＝3.362×106(倍)
1.424×10−1８Jの場合。
陽子のラブができる場の温度÷電子のラブができる場の温度＝2.369×1047(℃)÷(7.049×1040(℃))＝3.361×106(倍)
1.234×10−17Jの場合。
陽子のラブができる場の温度÷電子のラブができる場の温度＝1.781×1049(℃)÷(5.285×1042(℃))＝3.370×106(倍)
4.503×10−15Jの場合。
陽子のラブができる場の温度÷電子のラブができる場の温度＝2.372×1054(℃)÷(7.038×1047(℃))＝3.370×106(倍)
即ち、陽子のラブができる場の温度は、電子のラブができる場の温度の(1.834×103)2から(1.836×103)2倍です。エネルギーの倍数の2乗です。
１４．電子のラブができる場の引力と、陽子のラブができる場の引力はどのような関係であるか。
電子のラブができる場の引力は、(地表で、電子のラブが1秒間に作る引力になる磁気の光子のエネルギー×電子のラブができる場のA)2×原子数＝(3.769×10−21J×電子のラブができる場のA)2×原子数＝(3.769×10−21J×1.865×1038a)2×原子数＝4.941×1035×a2×原子数
陽子のラブができる場の引力は、(地表で、陽子のラブが1秒間に作る引力になる磁気の光子のエネルギー×陽子のラブができる場のA)2×原子数＝(3.769×10−21J÷1836×陽子のラブができる場のA)2×原子数＝(3.769×10−21J÷1836×3.420×1041a)2×原子数＝4.932×1035×a2×原子数
即ち、電子のラブができる場の引力と陽子のラブができる場の引力は等しい。これを示す。
電子のラブができる場の引力については、9番に記し、陽子のラブができる場の引力については、１２番に記したので、これを示す。
表1
2012065522.tif 000003
１５．放出した電磁気1個のエネルギーはいくらであったのか。
私は、特願2007−112389で次のように記した。(X=0のとき、ビッグバンが起きたと仮定すると、その場の電子のラブの質量になる光子のエネルギーはいくらか。その場の陽子のラブの質量になる光子のエネルギーはいくらか。
X=0 の場合。その場の電子のラブの質量になる光子のエネルギーは、8.665×100＝8.665Jです。その場の陽子のラブの質量になる光子のエネルギーは、1836倍ですから、8.665J×1836＝1.591×104J、です。この場のエネルギーは、地表の1.591×104÷(1.5×10−10J)＝1.06×1014倍です。この場はビッグバンがおきた場であり、ここに存在するのは、光子だけです。)
今回、放出した電磁気により、電磁気が、7.028×1017個集まり、電子のラブができた、と考えた。電磁気が7.028×1017個集まり、電子のラブのエネルギーが8.665Jになるためには、放出する電磁気は1.233×10−17Jでなければならない。
この事により、私は、放出した電磁気1個のエネルギーは、1.233×10−17Jであると、考察します。
表にまとめて示す。
表２
2012065522.tif 000004
表3
2012065522.tif 000005
表4
2012065522.tif 000006
【産業上の利用可能性】
【０００９】
ビッグバンの以前の電子のラブと陽子のラブを生成する温度と引力が具体的な数字として理解できたことによって、科学への興味が深まる。
【符号の説明】
【００１０】
１    電子のラブから排斥し、電子ニュートリノになった、(7.96×10７)2個の電磁気
２    7.028×1017個の電磁気でできた電子のラブ
３    1.287×1021個の電磁気でできた陽子のラブ
４    電子のラブができた場
５    陽子のラブができた場
６    放出した電磁気
７    放出した電磁気が作った電磁場
【図１】
2012065522.tif 000007
【図２】
2012065522.tif 000008
【図３】
2012065522.tif 000009